(57)【要約】【課題】  アンテナが収納された場合であっても良好な送受信状態を得る。【解決手段】  収納可能なアンテナ１１を有する携帯型端末装置であって、保持部材が、上端側保持部１１１を第１の姿勢で保持する第１保持部と、上端側保持部１１１を第１の姿勢とは異なる第２の姿勢で保持する第２保持部とを有して構成されている。【選択図】          図４
2007036826.tif 000002
【特許請求の範囲】
【請求項１】
筐体と、
該筐体内に収納可能に配設されるアンテナと、
前記筐体に設置され、前記アンテナが前記筐体内に収納されている場合に前記アンテナの上端側保持部を保持するとともに、前記アンテナが前記筐体内から引き出されている場合に前記アンテナの下端側保持部を保持する保持部材と
を有する携帯型端末装置であって、
前記保持部材は、前記上端側保持部を第１の姿勢と前記第１の姿勢とは異なる第２の姿勢とで保持可能に構成されている
ことを特徴とする携帯型端末装置。
【請求項２】
前記保持部材は、
前記上端側保持部を前記第１の姿勢で保持する第１保持部と、
前記上端側保持部を前記第２の姿勢で保持する第２保持部と
を有して構成されていることを特徴とする請求項１記載の携帯型端末装置。
【請求項３】
前記第２の姿勢は、前記第１の姿勢に対して傾いた姿勢であることを特徴とする請求項１または２記載の携帯型端末装置。
【請求項４】
前記第２の姿勢は、前記第１の姿勢と比較して前記上端側保持部が前記筐体から遠ざけられている姿勢であることを特徴とする請求項１〜３いずれか１項に記載の携帯型端末装置。
【請求項５】
前記第１保持部は、前記アンテナが前記筐体内から引き出されている場合に前記下端側保持部を第３の姿勢で保持可能に構成され、
前記第２保持部は、前記アンテナが前記筐体内から引き出されている場合に前記下端側保持部を前記第３の姿勢と異なる第４の姿勢で保持可能に構成されている
ことを特徴とする請求項２記載の携帯型端末装置。
【請求項６】
前記第４の姿勢は、前記第３の姿勢と比較して前記下端側保持部が前記筐体から遠ざけられている姿勢であることを特徴とする請求項５記載の携帯型端末装置。
【請求項７】
前記第１保持部が少なくとも前記上端側保持部が挿通される第１挿通孔を有し、前記第２保持部が少なくとも前記上端側保持部が挿通される第２挿通孔を有し、前記第１挿通孔と前記第２挿通孔とが連通して形成されていることを特徴とする請求項２記載の携帯型端末装置。
【請求項８】
前記アンテナは、前記上端側保持部と前記下端側保持部との間に配置されかつ前記上端側保持部及び前記下端側保持部よりも小径の小径部を有することを特徴とする請求項１〜７いずれか１項に記載の携帯型端末装置。
【発明の詳細な説明】
【技術分野】
【０００１】
本発明は、携帯型端末装置に関するものである。
【背景技術】
【０００２】
近年、情報を送受信することが可能な携帯型端末装置が多く普及している。このような携帯型端末装置には一般的にアンテナが備えられており、このアンテナを介して情報が送受信されるため、アンテナの状況、すなわち送受信状態を良好に保つ必要がある。
【０００３】
例えば、特許文献１には、アンテナが伸縮可能な携帯電話機において、アンテナが伸びた状態、すなわちアンテナが筐体の内部から引き出された状態において、アンテナの角度を収納状態と比較して変化させる技術が開示されている。
このような技術によれば、アンテナを伸ばした状態において、アンテナを送受信状態の悪化を招く人間の体から遠ざけることが可能となるため、アンテナを伸ばした状態における送受信状態を向上させることが可能となる。
【特許文献１】特開２００２−１８６００１号公報
【発明の開示】
【発明が解決しようとする課題】
【０００４】
ところで、上述のような、アンテナが伸ばされた状態においてアンテナが人間の体から遠ざけられる携帯型端末装置では、特許文献１のようにアンテナが筐体の内部から引き出された場合にのみアンテナの角度が変化されるものと、予めアンテナを斜めに設置しておくことで引き出した場合に人体からアンテナが遠のくものとの２つのタイプがある。
【０００５】
しかしながら、例えば、前者を採用した場合には、アンテナを筐体の内部に収納した状態においてはアンテナを人体から遠ざけることができないため、アンテナが収納された状態における送受信状態の向上は望めない。
一方、後者を採用した場合には、アンテナを収納した状態で机等に置いた場合には、アンテナが斜めに設置されているがために、アンテナが机等に接触しやすくなる。アンテナが机等に接触した場合にはアンテナの感度低下により送受信状態が悪化するため、アンテナの収納した状態においては、逆に送受信状態が悪化する恐れがある。
【０００６】
本発明は、上述する問題点に鑑みてなされたもので、アンテナが収納された場合であっても良好な送受信状態を得ることが可能な携帯型端末装置を提供することを目的とする。
【課題を解決するための手段】
【０００７】
上記目的を達成するために、本発明の携帯型端末装置は、筐体と、該筐体内に収納可能に配設されるアンテナと、上記筐体に設置され、上記アンテナが上記筐体内に収納されている場合に上記アンテナの上端側保持部を保持するとともに、上記アンテナが上記筐体内から引き出されている場合に上記アンテナの下端側保持部を保持する保持部材とを有する携帯型端末装置であって、上記保持部材が、前記上端側保持部を第１の姿勢と前記第１の姿勢とは異なる第２の姿勢とで保持可能に構成されていることを特徴とする。
また、本発明の携帯型端末装置においては、上記上端側保持部を上記第１の姿勢で保持する第１保持部と、上記上端側保持部を上記第２の姿勢で保持する第２保持部とを有して構成されていることを特徴とする。
なお、ここで言う上端側保持部は、アンテナが上方に向けて引き出された場合にアンテナの上部に位置するものであり、ここでいう下端側保持部は、アンテナが上方に向けて引き出された場合にアンテナの下部に位置するものである。
【０００８】
また、本発明の携帯型端末装置においては、上記第２の姿勢が、上記第１の姿勢に対して傾いた姿勢であるという構成を採用することができる。
【０００９】
また、本発明の携帯型端末装置においては、上記第２の姿勢が、上記第１の姿勢と比較して上記上端側保持部が上記筐体から遠ざけられている姿勢であるという構成を採用することができる。
【００１０】
また、本発明の携帯型端末装置においては、上記第１保持部が、上記アンテナが上記筐体内から引き出されている場合に上記下端側保持部を第３の姿勢で保持可能に構成され、上記第２保持部が、上記アンテナが上記筐体内から引き出されている場合に上記下端側保持部を上記第３の姿勢と異なる第４の姿勢で保持可能に構成されているという構成を採用することができる。
なお、本発明の携帯型端末装置においては、上記第４の姿勢が、上記第３の姿勢と比較して上記下端側保持部が上記筐体から遠ざけられている姿勢であるという構成を採用することができる。
【００１１】
また、本発明の携帯型端末装置においては、上記第１保持部が少なくとも上記上端側保持部が挿通される第１挿通孔を有し、上記第２保持部が少なくとも上記上端側保持部が挿通される第２挿通孔を有し、上記第１挿通孔と上記第２挿通孔とが連通して形成されているという構成を採用することができる。
【００１２】
また、本発明の携帯型端末装置においては、上記アンテナは、上記上端側保持部と上記下端側保持部との間に配置されかつ上記上端側保持部及び上記下端側保持部よりも小径の小径部を有するという構成を採用することができる。
【発明の効果】
【００１３】
本発明の携帯型端末装置によれば、アンテナの上端側保持部を第１の姿勢と第１の姿勢と異なる第２の姿勢で保持可能である。
アンテナの上端側保持部が保持部材によって保持されている状態は、アンテナが収納された状態である。そして、上端側保持部の姿勢が異なるということは、アンテナの姿勢が異なることと等しいため、アンテナが収納された場合であっても、アンテナの姿勢を変化させることが可能となる。
このように、本発明の携帯型端末装置においては、アンテナを良好な送受信状態が得られる姿勢に変化可能な構成とされており、アンテナが収納された場合であっても良好な送受信状態を得ることが可能となる。
【発明を実施するための最良の形態】
【００１４】
図１〜図９は、本発明に係る一実施形態を示しており、ここで説明する実施の形態は、本発明を携帯電話機に適用した場合のものである。図１及び図２に示すように、本実施形態の携帯電話機１０（携帯型端末装置）は、第１の筐体１及び第２の筐体２を備えている。これら２つの筐体１、２は、ヒンジ部３を介して折り畳み自在に連結されることにより相互に開閉できるよう構成されている。
折り畳まれた際に第２の筐体２と対向する第１の筐体１の対向面１ａには、表示部４とスピーカ部５とを有している。また、折り畳まれた際に第１の筐体１と対向する第２の筐体２の対向面２ａには、キー操作部７とマイクロフォン９とを有している。さらに第２の筐体２のヒンジ部３近傍には、基地局と通信するためのアンテナ１１が配置されている。そしてこのアンテナ１１は、第２の筐体２内に収納可能とされかつ第２の筐体２内から引き出し可能とされており、第２の筐体２に設置された保持部材６（図３参照）によって保持されている。
【００１５】
図３は、アンテナ１１及び保持部材６の分解斜視図である。この図に示すように、アンテナ１１は、アンテナ１１が第２の筐体２内に収納されている場合に保持部材６によって保持される上端側保持部１１１と、アンテナ１１が第２の筐体２内から引き出されている場合に保持部材６によって保持される下端側保持部１１２と、上端側保持部１１１と下端側保持部１１２との間に配置されかつ上端側保持部１１１及び下端側保持部１１２よりも小径の小径部１１３とを備えて構成されている。なお、図３に示すように、上端側保持部１１１と下端側保持部１１２とは、棒状の小径部１１３によって接続されている。
【００１６】
保持部材６は、導電性材料によって形成されており、図４の断面図に示すように、第２の筐体２の内部に配置された取付金具２１と接続された状態で第２の筐体２に対して固定されている。また、取付金具２１も保持部材６と同様に導電性材料によって形成されており、この取付金具２１が第２の筐体２の内部に配置されたプリント基板Ｐの端子Ｐ１と接触されている。すなわち、保持部材６とプリント基板Ｐとは電気的に接続されている。
【００１７】
このような保持部材６は、アンテナ１１の上端側保持部１１１を水平状態（第１の姿勢）で保持する第１保持部としての機能と、アンテナ１１の上端側保持部１１１を水平状態よりも第２の筐体２から離れるように傾斜状態（第２の姿勢）で保持する第２保持部としての機能とを有している。なお、本実施形態において、水平状態とは、携帯電話機１０を水平面上に載置した場合に、その水平面と平行となる状態のことである。
【００１８】
具体的には、保持部材６は、図５の平面図に示すように、水平方向に向かって形成されかつ上端側保持部１１１及び下端側保持部１１２と略同一径の第１挿通孔６１と、水平方向に対して傾いた角度に向けて形成されかつ上端側保持部１１１及び下端側保持部１１２と略同一径の第２挿通孔６２とを有している。そして、保持部材６は、第１挿通孔６１に上端側保持部１１１が入り込んでいる場合には上端側保持部１１１を水平状態で保持し、第２挿通孔６２に上端側保持部１１１が入り込んでいる場合には上端側保持部１１１を傾斜状態で保持するように、第２の筐体２に固定されている（図４参照）。
なお、図５に示すように、第１挿通孔６１と第２挿通孔６２とは、一部が重ねて形成されることによって連通して接続されている。これによって、アンテナ１１の小径部１１３が第１挿通孔６１と第２挿通孔６２との間を自由に行き来可能な構成とされている。
【００１９】
また、本実施形態の携帯電話機１０においては、第１挿通孔６１にアンテナ１１の下端側保持部１１２が入り込むことによって、下端側保持部１１２が保持部材６によって水平状態（第３の姿勢）で保持され、第２挿通孔６２にアンテナ１１の下端側保持部１１２が入り込むことによって、下端側保持部１１２が保持部材６によって水平状態よりも第２の筐体２から離れるように傾斜状態（第４の姿勢）で保持される構成とされている。
【００２０】
図１に戻り、キー操作部７には、４方向キーや決定キー等を有する多機能操作キー１２、操作ガイダンスに関する操作キー１３、メールに関する操作キー１４、Ｗｅｂ閲覧に関する操作キー１５、電話帳に関する操作キー１６、０〜９・＊♯等のキーからなる操作キー１７等が配置されている。
【００２１】
このように構成された本実施形態の携帯電話機１０において、アンテナ１１を第２の筐体２内に収納するときに、アンテナ１１の小径部１１３が保持部材６の第１挿通孔６１側に位置している場合には、アンテナ１１の上端側保持部１１１が第１挿通孔６１に入り込んで上端側保持部１１１が保持部材６に保持される。上述のように、第１挿通孔６１に上端側保持部１１１が入り込んだ場合には、上端側保持部１１１は水平状態で保持される。このため、図６に示すように、アンテナ１１が水平状態で収納される。つまり、アンテナ１１は、第２の筐体２と略平行な状態で第２の筐体２内に収納される。
一方、アンテナ１１を第２の筐体２内に収納するときに、アンテナ１１の小径部１１３が保持部材６の第２挿通孔６２側に位置している場合には、アンテナ１１の上端側保持部１１１が第２挿通孔６２に入り込んで上端側保持部１１１が保持部材６によって保持される。上述のように、第２挿通孔６２に上端側保持部１１１が入り込んだ場合には、上端側保持部１１１は第２の筐体２から離れるように傾斜状態で保持される。このため、図７に示すように、アンテナ１１が第２の筐体２から離れるように傾斜状態で収納される。つまり、アンテナ１１は、第２の筐体２に対して外側へ傾斜した状態で第２の筐体２内に収納される。
【００２２】
また、アンテナ１１を第２の筐体２内から引き出すときに、アンテナ１１の小径部１１３が保持部材６の第１挿通孔６１側に位置している場合には、アンテナ１１の下端側保持部１１２が第１挿通孔６１に入り込んで下端側保持部１１２が保持部材６によって保持される。上述のように、第１挿通孔６１に下端側保持部１１２が入り込んだ場合には、下端側保持部１１２は水平状態で保持される。このため、図８に示すように、アンテナ１１が水平状態で引き出される。つまり、アンテナ１１は、第２の筐体２と略平行な状態に引き出されて保持される。
一方、アンテナ１１を第２の筐体２から引き出すときに、アンテナ１１の小径部１１３が保持部材６の第２挿通孔６２側に位置している場合には、アンテナ１１の下端側保持部１１２が第２挿通孔６２に入り込んで下端側保持部１１２が保持部材６によって保持される。上述のように、第２挿通孔６２に下端側保持部１１２が入り込んだ場合には、下端側保持部１１２は第２の筐体２から離れるように傾斜状態で保持される。このため、図９に示すように、アンテナ１１が第２の筐体２から離れるように傾斜状態で引き出される。つまり、アンテナ１１は、第２の筐体２に対して外側へ傾斜した状態に引き出されて保持される。
なお、傾斜状態で引き出されたアンテナ１１の先端は、水平状態で引き出されたアンテナ１１の先端に対して、例えば２０ｍｍ程度変位しているものとすることができる。
【００２３】
このような本実施形態の携帯電話機１０によれば、アンテナ１１が第２の筐体２の内部に収納された場合であっても、アンテナ１１の姿勢を変化させることが可能とされている。このため、良好な送受信状態が得られるようにアンテナ１１の姿勢を変化させることができ、アンテナが収納された場合であっても良好な送受信状態を得ることが可能となる。
【００２４】
例えば、本実施形態の携帯電話機１０においては、上端側保持部１１１が第１挿通孔６１に入り込んで保持されている場合には、アンテナ１１が水平状態で収納される。このため、この状態で机等の上に本実施形態の携帯電話機１０を載置した場合には、アンテナ１１が机等に接触することが防止され、良好な送受信状態を得ることができる。
また、本実施形態の携帯電話機１０においては、上端側保持部１１１が第２挿通孔６２に入り込んで保持されている場合には、アンテナ１１が第２の筐体２から離れる。このため、アンテナ１１が収納された状態で通話を行う場合に、アンテナ１１が人体から離されるため良好な送受信状態を得ることができる。
【００２５】
また、本実施形態の携帯電話機１０においては、アンテナ１１を第２の筐体２の内部から引き出した場合も、アンテナ１１の姿勢を変化させることが可能とされている。このため、アンテナ１１が引き出された場合であっても良好な送受信状態を得ることが可能となる。
【００２６】
例えば、本実施形態の携帯電話機１０においては、下端側保持部１１２が第１挿通孔６１に入り込んで保持されている場合には、アンテナ１１が水平状態で引き出されている。このため、この状態で机等の上に本実施形態の携帯電話機１０を載置した場合には、アンテナ１１が机等に接触することが防止され、良好な送受信状態を得ることができる。
また、本実施形態の携帯電話機１０においては、下端側保持部１１２が第２挿通孔６２に入り込んで保持されている場合には、アンテナ１１が第２の筐体２から離れる。このためアンテナ１１が引き出された状態で通話を行う場合に、アンテナ１１が人体から離されるため良好な送受信状態を得ることができる。
【００２７】
また、本実施形態の携帯電話機１０においては、第１挿通孔６１と第２挿通孔６２とが、一部を重ねられて形成されることにより、連通して構成されている。このため、アンテナ１１の小径部１１３が第１挿通孔６１と第２挿通孔６２と自由に行き来可能な構成とされ、容易にアンテナ１１の姿勢を変化させることが可能となる。
【００２８】
なお、本実施形態においては、第１の筐体１と第２の筐体２とがヒンジ部３を介して折り畳み自在に連結されていることにより相互に開閉できるように構成された携帯電話機１０を例に挙げて説明した。しかしながら、本発明はこれに限定されるものではなく、単一の筐体のみを有する携帯電話機などに適用することも可能である。
【００２９】
また、本実施形態においては、携帯電話機１０を例に挙げて説明しているが、本発明はこれに限定されるものではなく、筐体内に収納可能なアンテナを有する全ての携帯型端末装置に適用することが可能である。
また、本実施形態においては、アンテナの上端側保持部の姿勢を傾けることによってアンテナの姿勢を変化させたが、例えば、アンテナの上端側保持部または保持部材を回動させることによってアンテナの姿勢を変化させられる場合には、アンテナの上端側保持部または保持部材を回動させることによってアンテナの姿勢を変化させても良い。具体的には、保持部材を取付金具に対して回動可能に設けるとともにアンテナの上端側保持部を保持部材の回転中心から偏心した位置で保持部材に保持させる構成とすれば良い。
また、本実施形態においては、アンテナの上端側保持部を第２の筐体から離れるように傾斜させることによってアンテナを傾斜状態で保持したが、例えば、アンテナの上端側保持部を異なる方向に傾けることによって良好な送受信状態が得られるのであれば、その方向にアンテナの上端側保持部を傾けても良い。
なお、アンテナの下端側保持部についても上端側保持部と同様のことが言える。
【００３０】
以上、本発明の実施形態について図面を参照して詳説したが、具体的な構成は、上記実施形態に限定されるものではなく、本発明の要旨を逸脱しない範囲において設計変更等が可能である。
【図面の簡単な説明】
【００３１】
【図１】本発明の一実施形態である携帯電話機の斜視図である。
【図２】本発明の一実施形態である携帯電話機の斜視図である。
【図３】図１及び図２の携帯電話機が有するアンテナと保持部材との分解斜視図である。
【図４】図１及び図２の携帯電話機の拡大断面図である。
【図５】図１及び図２の携帯電話機が有する保持部材の平面図である。
【図６】図１及び図２の携帯電話機が有するアンテナの姿勢を説明するための説明図である。
【図７】図１及び図２の携帯電話機が有するアンテナの姿勢を説明するための説明図である。
【図８】図１及び図２の携帯電話機が有するアンテナの姿勢を説明するための説明図である。
【図９】図１及び図２の携帯電話機が有するアンテナの姿勢を説明するための説明図である。
【符号の説明】
【００３２】
１０……携帯電話機（携帯型端末装置）、２……第２の筐体（筐体）、１１……アンテナ、１１１……上端側保持部、１１２……下端側保持部、１１３……小径部、６……保持部材、６１……第１挿通孔、６２……第２挿通孔
【図１】
2007036826.tif 000003
【図２】
2007036826.tif 000004
【図３】
2007036826.tif 000005
【図４】
2007036826.tif 000006
【図５】
2007036826.tif 000007
【図６】
2007036826.tif 000008
【図７】
2007036826.tif 000009
【図８】
2007036826.tif 000010
【図９】
2007036826.tif 000011